(57)【要約】【課題】  ケースとカバーとをスライドしてロックすることが可能であり、ロック装置の組み付けが容易で且つ不正解除具を用いた場合でもロック解除を阻止できる制御基板収納ボックス及び遊技機を提供する。【解決手段】ケース部３ａの収納孔１２に金属製のロックナット１１と、金属製のロックプレート１３を収納して、ケース部３ａに対してカバー部５ａをＳ方向にスライドすることによりケース部３ａの嵌合部４２とカバー部５ａの被嵌合部４６とを嵌合し、ロックボルト９を押し込んで爪部３１をロックボルト９の係止溝２５に係止した後、ロックボルト９の頭部１７を回すことで、ロックボルト９の軸部１５をロックナット１１に螺合してロックナット１１がケース側に移動した後、ロックナット規制部３３によりケース側への移動が規制され、更にロックナット９の頭部１７を回すことで捻り切断部２３に作用するトルクでロックボルト９の頭部１７が切断されている。【選択図】図１
2013202244.tif 000002
【特許請求の範囲】
【請求項１】
制御基板を収納する透明樹脂製のケースと、ケースに装着する透明樹脂製のカバーと、ケースとカバーとをロックするロック装置とを備えた制御基板収納ボックスであって、ケースに対してカバーを一方向にスライドすることによりケースとカバーとを合わせてあり、ロック装置は、金属製のロックボルトと、金属製のロックナットと、金属製のロックプレートとを備え、
ロックボルトは、ねじ溝が形成された軸部と、頭部と、軸部と頭部との間に設けたフランジ部と、フランジ部と軸部との間に設けて且つ軸部よりも外径が大きな胴部と、頭部とフランジ部との間に設けた捻り切断部を有し、捻り切断部は所定以上のトルクがかかると切断されるものであり、胴部には周囲に係止溝が形成してあり、
ケースには、カバー側が開口してロックプレートとロックナットを収納する収納孔と、カバーとの嵌合部とが形成してあり、
カバーには、ロックボルトの軸部と胴部を挿通する挿通孔と、ケースに対してスライドしたときにカバーの嵌合部に嵌合する被嵌合部とが形成してあり、挿通孔の周囲部にはロックボルトのフランジ部を受けるフランジ受け部が形成してあり、
ロックプレートは、ケースの収納孔の底に配置する底部と、底部からケース側に起立して互いに対向する複数の起立部とを有し、対向する起立部間の間隔はロックナットの最大径よりも小さくしてあり、各起立部は互いに間隔を狭めるように突設してロックボルトの係止溝に係止する爪部と、爪部より底部側で互いに対向する側に突設したロックナット規制部とを有し、
ロックボルトの胴部をロックプレートの爪部間に押し込んで爪部をロックボルトの係止溝に係止した後、ロックボルトの頭部を回すことで、ロックボルトの軸部をロックナットに螺合してロックナットがケース側に移動した後、ロックナット規制部によりケース側への移動が規制され、更にロックナットの頭部を回すことで捻り切断部に作用するトルクでロックボルトの頭部が切断されていることを特徴とする制御基板収納ボックス。
【請求項２】
起立部の先端に形成した爪部は先端を底部側に向けて傾斜していると共に、ロックボルトの胴部の軸部側面に爪部の傾斜と同方向に傾斜したテーパが形成されていることを特徴とする請求項１に記載の制御基板収納ボックス。
【請求項３】
対向する起立部の先端には、互いの間隔を大きくするように凹んだ凹部が形成してあり、各起立部には凹部を挟む位置に爪部が形成してあることを特徴とする請求項２に記載の制御基板収納ボックス。
【請求項４】
請求項１〜３の何れかに記載の制御基板収納ボックスを内部に設けたことを特徴とする遊技機。
【発明の詳細な説明】
【技術分野】
【０００１】
本発明は、ロック装置を備えた遊技機用の制御基板収納ボックス及びこの制御基板収納ボックスを備えた遊技機に関する。
【背景技術】
【０００２】
一般に、パチンコ機やスロットマシン等の遊技機には、いわゆる当たり回数を制御する制御基板が不正に取り出されて改造や交換がされないようにする為、制御基板を収納したケースとカバーとのロックが不正解除されるのを防止したり、不正解除の痕跡が外部から目視確認できるようにする技術が公知である。
【０００３】
この種の技術として、特許文献１には、制御基板を収納する透明樹脂製のケースとカバーを備える遊技機用の制御基板収納ボックスにおいて、ケースとカバーをロックボルトで連結する技術が開示されている。この特許文献１の技術では、ロックボルトの先端部をケースに形成した係止部に係止し、ロックボルトの頭部をカバーに係止して、ロックボルトの頭部をねじでまわして所定以上のトルクを作用するとロックボルトの軸が切断されて、軸の内部に封入した塗料が流出することで、不正解除の痕跡を目視できるようにしている。また、軸の内部には塗料に代えて接着剤を封入してロックボルトの軸が切断されたときに接着剤によりケースとカバーを接着することが開示されている。
【０００４】
また、特許文献２には、スプリング付きのピンの頭部を叩き込んで、ピンの先端をケースに固定した金属片を押し曲げて挿入し、金属片がピン先端の溝に係止させることが開示されている。そして、カバー側に位置するピンの頭部とケースに固定した金属片に係止したピンの先端とで、ケースとカバーとを固定している。
【先行技術文献】
【特許文献】
【０００５】
【特許文献１】特開２００３−２１４４１３号公報
【特許文献２】特開２００４−４１７７７号公報
【発明の概要】
【発明が解決しようとする課題】
【０００６】
しかし、特許文献１の技術では、ロックピンの内部に塗料や接着剤を封入するものであるから、構成が複雑になりロックピンの製造に手間がかかると共にコストがかかるという問題がある。
また、ロックピンの先端部は樹脂製ケースに形成した係止部に係止するものであるから、針や金属製の線材を用いて樹脂製の係止部に熱を加えて溶融した場合には、ケースとカバーとのロックが解除可能になるという不都合がある。
【０００７】
特許文献２の技術では、ピンの頭部をケースに固定した金属片に押し込むことにより金属片を変形させて乗り越えた先端部の溝に金属片の先端を係止するものであるから、ピンの頭部を強く引き抜いた場合には、金属片が変形して係止部が外れることが可能であり、ケースとカバーとのロックが解除可能になるという不都合がある。特に、ロック後にピンの頭部が残っているので、ピンの引抜きが可能になるとい問題がある。
また、ケースには予め金属片を固定しておく必要があるので、ロック装置の組み付けに手間がかかるという問題がある。
【０００８】
更に、ケースとカバーとを互いにスライドにより嵌合する種類の制御基板収納ボックスがあるが、かかるスライドにより嵌合する制御基板収納ボックスにおいて、ロック装置を容易に組み付けできる技術が望まれている。
【０００９】
そこで、本発明は、ケースとカバーとをスライドしてロックすることが可能であり、ロック装置の組み付けが容易で且つ針や金属線材等の不正解除具を用いた場合でもロック解除を阻止できる制御基板収納ボックス、及びこの制御基板収納ボックスを備えた遊技機の提供を目的とする。
【課題を解決するための手段】
【００１０】
前記課題を解決するために、請求項１に記載された発明は、制御基板を収納する透明樹脂製のケースと、ケースに装着する透明樹脂製のカバーと、ケースとカバーとをロックするロック装置とを備えた制御基板収納ボックスであって、ケースに対してカバーを一方向にスライドすることによりケースとカバーとを合わせてあり、ロック装置は、金属製のロックボルトと、金属製のロックナットと、金属製のロックプレートとを備え、ロックボルトは、ねじ溝が形成された軸部と、頭部と、軸部と頭部との間に設けたフランジ部と、フランジ部と軸部との間に設けて且つ軸部よりも外径が大きな胴部と、頭部とフランジ部との間に設けた捻り切断部を有し、捻り切断部は所定以上のトルクがかかると切断されるものであり、胴部には周囲に係止溝が形成してあり、ケースには、カバー側が開口してロックプレートとロックナットを収納する収納孔と、カバーとの嵌合部とが形成してあり、カバーには、ロックボルトの軸部と胴部を挿通する挿通孔と、ケースに対してスライドしたときにカバーの嵌合部に嵌合する被嵌合部とが形成してあり、挿通孔の周囲部にはロックボルトのフランジ部を受けるフランジ受け部が形成してあり、ロックプレートは、ケースの収納孔の底に配置する底部と、底部からケース側に起立して互いに対向する複数の起立部とを有し、対向する起立部間の間隔はロックナットの最大径よりも小さくしてあり、各起立部は互いに間隔を狭めるように突設してロックボルトの係止溝に係止する爪部と、爪部より底部側で互いに対向する側に突設したロックナット規制部とを有し、ロックボルトの胴部をロックプレートの爪部間に押し込んで爪部をロックボルトの係止溝に係止した後、ロックボルトの頭部を回すことで、ロックボルトの軸部をロックナットに螺合してロックナットがケース側に移動した後、ロックナット規制部によりケース側への移動が規制され、更にロックナットの頭部を回すことで捻り切断部に作用するトルクでロックボルトの頭部が切断されていることを特徴とする制御基板収納ボックスである。
【００１１】
請求項２に記載された発明は、請求項１に記載の発明において、起立部の先端に形成した爪部は先端を底部側に向けて傾斜していると共に、ロックボルトの胴部の軸部側面に爪部の傾斜と同方向に傾斜したテーパが形成されていることを特徴とする。
【００１２】
請求項３に記載された発明は、請求項２に記載の発明において、対向する起立部の先端には、互いの間隔を大きくするように凹んだ凹部が形成してあり、各起立部には凹部を挟む位置に爪部が形成してあることを特徴とする。
【００１３】
請求項４に記載された発明は、請求項１〜３の何れか一項に記載の制御基板収納ボックスを内部に設けたことを特徴とする遊技機である。
【発明の効果】
【００１４】
請求項１に記載の発明によれば、ケースとカバーとのロック後は、ロックボルトの頭部が切除されているので、ロックボルトを操作できない為、ロックの不正解除操作を阻止することができる。
ロックナット及びロックプレートは金属製である為、針や金属線材等の不正解除具を用いた場合でも、これらの操作ができないから、この点においても不正解除操作を阻止することができる。
ロックナットは汎用品も使用することができ、特許文献１のように構成が複雑でないから、簡易な構成で安価なロック装置を提供できる。
ケースとカバーを一方向にスライドすることにより、ケースの嵌合部とカバーの被嵌合部とが嵌合して互いに面が離れないように固定した状態で、ロック装置により、スライドできないようにロックしているので、ケースに対してカバーをスライドする仕様の制御基板収納ボックスに適用することができる。
ケースの収納孔には、ロックプレートとロックナットを収納し、カバー側からロックボルトを操作するだけであるから、ロック装置の組み付けが容易にできる。
【００１５】
請求項２に記載の発明によれば、請求項１に記載の発明と同様な効果を奏すると共に、ロックプレートの爪部をロックボルトの胴部に形成した係止溝に小さい力で容易に係止できる。
【００１６】
請求項３に記載の発明によれば、請求項２に記載の発明と同様な効果を奏すると共に、ロックボルトの胴部が爪部を容易に乗り越えることができ、ロックボルトの簡単な押し込みで係止溝に爪部を係止できる。
【００１７】
請求項４に記載の発明によれば、請求項１〜３の何れか一項に記載の効果を奏する制御基板収納ボックスを備えた遊技機を提供できる。
【図面の簡単な説明】
【００１８】
【図１】本発明の実施の形態に係る制御基板収納ボックスにおいて、ケースとカバーとがロック状態にあるときのロック装置を抜き出して示す図であり、（ａ）は平面図であり、（ｂ）は側面図である。
【図２】本発明の実施の形態に係る制御基板収納ボックスにおいて、ケースとカバーとがロックされる前の状態にあるときのロック装置を抜き出して示す側面図である。
【図３】制御基板収納ボックスにおけるロック部分の分解斜視図である。
【図４】ロックプレートを拡大して示す斜視図である。
【図５】ケースとカバーのロック操作の手順を説明する図であり、（ａ）〜（ｅ）はロック装置を抜き出して示す斜視図である。
【図６】（ａ）は本実施の形態に係る制御基板収納ボックスの平面図あり、（ｂ）は（ａ）に示す制御基板収納ボックスの側面図ある。
【発明を実施するための形態】
【００１９】
以下に、添付図面を参照して、本発明の実施の形態を詳細に説明する。本実施の形態にかかる制御基板収納ボックス１は、遊技機（パチンコ台）の制御基板を収納するものであり、遊技機の内部に装着されるものである。
図６に示すように、制御基板収納ボックス１は、制御基板を収納する透明樹脂製のケース３と、ケース３に装着する透明樹脂製のカバー５と、ケース３とカバー５とをロックするロック装置７とを備えている。尚、ロック装置７が収納されているケース部３ａ及びカバー部５ａは薄肉部１６により切除可能にしてある。
【００２０】
図１〜図３に示すように、ロック装置７は、ケース３と一体のケース部３ａと、カバー５と一体のカバー部５ａとに収納されており、金属製のロックボルト９と、金属製のロックナット１１と、金属製のロックプレート１３とを備えている。
本実施の形態では、ケース３に対してカバー５を一方向Ｓにスライドすることによりケース３とカバー５とを合わせてロックするものである。
【００２１】
ケース部３ａにおけるスラド方向Ｓの先端部には、カバー部５ａとの嵌合部４２が形成されている。嵌合部４２には、嵌合孔４２ａが形成されている。また、ケース部３ａにおいて、スライド方向Ｓに沿う両側にはカバー部５ａのスライドを案内する案内壁４４が形成されている。
ケース部３ａには、カバー部５ａ側が開口した収納孔１２が形成されており、収納孔１２にはロックプレート１３とロックナット１１が収納されている。
【００２２】
カバー部５ａはケース部３ａに対向して配置してあり、カバー部５ａを厚み方向に貫通する挿通孔１４と、挿通孔１４の周囲部にロックボルト９のフランジ部１９（後述する）を受けるフランジ受け部１６が形成してある。
また、カバー部５ａには、ケース部３ａに対してＳ方向にスライドしたときにケース部３ａの嵌合部４２の嵌合孔４２ａに嵌合する被嵌合部４６が形成してある。被嵌合部４６はカバー部５ａのスライド方向に突出した突起部である。
【００２３】
図２及び図３に示すように、ロックボルト９は、ねじ溝が形成された軸部１５と、頭部１７と、軸部１５と頭部１７との間に設けたフランジ部１９と、フランジ部１９と軸部２１との間に設けて且つ軸部１５よりも外径が大きな胴部２１と、頭部１７とフランジ部１９との間に設けた捻り切断部２３を有しており、胴部２１には周囲に係止溝２５が形成されている。
【００２４】
図１に示すように、頭部１７は、ロック状態では、捻り切断部２３から切除されている。また、頭部１７は六角柱形状を成し、レンチ等の工具で回すようになっている。
フランジ部１９はカバー部５ａのフランジ受け部１６に当接して、ロックナット１１との間でカバー部５ａとケース部３ａを圧接している。
胴部２１の軸部１５側面２１ａには、軸部１５側ほど径が小さくなるように傾斜したテーパが形成されている。
捻り切断部２３は、所定以上のトルクがかかると切断されるものであり、胴部２１よりも細く形成されている。
【００２５】
ロックナット１１は、外形が四角柱形状をなし、ロックボルト９の軸部に螺合するねじ孔１１ａが形成されている。
【００２６】
ロックプレート１３は、金属板をプレスにより折り曲げて形成してあり、ケース部３ａの収納孔１２の底に配置する底部２７と、底部２７から連続してケース部５ａ側に起立した一対の起立部２９ａ、２９ｂを備えている。一対の起立部２９ａ、２９ａは、対向して設けてあり、起立部２９ａ、２９ａ間にロックナット１１を挟んでいる。起立部２９ａ、２９ｂ間の間隔は、ロックナット１１の最大外径（平面視四角の対角寸法）よりも小さくしてあり、本実施の形態では、ロックナット１１の対向する側面間と略同じ寸法としてある。
【００２７】
各起立部２９ａ、２９ｂの先端は、折り曲げて各々対向する側に突設した爪部３１、３１と、爪部３１、３１より底部２７側で互いに対向する側に突設したロックナット規制部３３とが形成されている。
爪部３１、３１は、爪部３１、３１は各々先端を底部側に向けて傾斜しており、各爪部３１，３１は、図１に示すように、ロックボルト９の係止溝２５に先端を挿入してロックボルト９を係止している。図２及び図５に示すように、各起立部２９ａ、２９ｂの先端部において、爪部３１、３１間には円弧状の凹部３２が形成されている。
【００２８】
ロックナット規制部３３は、起立部２９ａ、２９ｂにおいて、ロックナット１１の爪部３１、３１よりも底部２７側に設けて、互いに対向する位置に突設してあり、ロックナット１１がロックボルトの軸部１５と螺合したときに所定距離カバー部５ａ側に移動した後、更にカバー部５ａ側へ移動するのを規制している。本実施の形態では、ロックナット規制部３３は起立部２９ａ、２９ｂの側部から対向側へ折り曲げて形成している。
【００２９】
図１に示すように、ケース部３ａとカバー部５ａとのロック状態では、ケース部３ａの嵌合部４２にカバー部５ａの被嵌合部４６が嵌合した状態にあり、ケース部３ａとカバー部５ａとは互いに離間する方向の移動が規制されている。
ロック装置７では、ロックボルト９をロックナット１１に螺合してある。また、ロックプレート１３の起立部２９ａ、２９ｂの各爪部３１がロックボルトの係止溝２５に係止していると共に起立部２９ａ、２９ｂの各ロックナット規制部３３は、ロックナット１１の上面に当接してロックナット１１がケース部５ａ側へ移動するのを規制している。
【００３０】
更に、ロックボルト９は捻り切断部２３が切断されており、頭部１７は切除されてないが、カバース部５ａのフランジ受部１６にロックボルト９のフランジ部１９が圧接している。
したがって、ケース部３ａとフランジ部５ａにおいて、ロックボルト９の軸部１５が螺合したロックナット１１はケース部３ａの収納穴１２内に保持され、ロックボルト９のフランジ部１９はケース部５ａに保持することで、ケース部３ａとフランジ部５ａとがロックされて、Ｓ方向と反対方向に移動するのが阻止されている。更に、ケース部３ａの嵌合部４２にカバー部５ａの被嵌合部４６が嵌合しているので、ケース部３ａとカバー部５ａとは互いに離間する方向の移動もロックされている。
【００３１】
次に、図５を参照して、ロック操作及びその作用について、説明する。
図５（ａ）に示すように、ケース部３ａの収納孔１２内にロックナット１１とロックプレート１３を収納し、ケース部３ａに対して、カバー部５ａをＳ方向にスライドする。尚、ロックナット１１はロックプレート１１の起立部２９ａ、２９ｂ間に配置する。そして、（ｂ）に示すように、ケース部３ａとカバー部５ａとを重ねると共にケース部３の嵌合部４２にカバー部５ａの被嵌合部４６を嵌合する。
【００３２】
次に、図５（ｃ）に示すように、ロックボルト９の軸部１５をカバー部５ａの挿通孔１４に押し込む。これにより、ロックボルト９の胴部２１がロックプレート１１の各爪部３１を乗り越えて、各爪部３１がロックボルトの係止溝２５に嵌る。
そして、図５（ｄ）に示すように、ロックボルト９の頭部１７をレンチ等の工具を用いて回し、ロックボルト９を締め付ける。これにより、ロックボルト９の軸部１５がロックナット１１に螺合して、ロックナット１１がケース側に向けてせり上がるが、所定以上にせり上がると、ロックプレート１３のロックナット規制部に当接してせりあがりが規制される。
【００３３】
その後、図５（ｅ）に示すように、更に、ロックボルト９の頭部１７をまわすと、捻り切断部２３にかかるトルクが大きくなり、所定のトルクを超えることで捻り切断部２３が切断され、ロックボルト９の頭部１７が切断により除去される。これにより、ケース３とカバー５のロックが完了する。
尚、工場の出荷後に、店舗などで検査や確認の為に、ケース３とカバー５を開くときには、ケース部３ａ及びカバー部５ｂの薄肉部１６を切断し、残りのケース部３ａの収納孔１２にロックプレート１３及びロックナット１１を収納し、上述したように、ケース３に対してカバー５をＳ方向にスライドさせて、ロックボルト９で、ケース３とカバー５とを再度ロックする。
【００３４】
次に、本実施の形態に係る制御基板収納ボックス１の作用及び効果を説明する。
図１に示すように、本実施の形態によれば、ケース部３ａとカバー５ａとのロック後は、ロックボルト９の頭部１７が切除されているので、ロックボルト９を操作できない為、ロックの不正解除操作を阻止することができる。
ロックナット１１及びロックプレート１３は金属製である為、針や金属線材等の不正解除具を用いた場合でも、これらの操作ができないから、この点においても不正解除操作を阻止することができる。
【００３５】
ケース部３ａとカバー５ａをロックするときには、ロックボルト９を押し込んだ後に、回すだけであるから、小さい力で簡単にロックすることができる。
ロックボルト９は汎用品も使用することができ、特許文献１のように構成が複雑でないから、簡易な構成で安価なロック装置を提供できる。
【００３６】
図５に示すように、本実施の形態によれば、ケース３に対してカバー５をＳ方向にスライドすることにより、ケース部３ａの嵌合部４２とカバー部５ａの被嵌合部４６とが嵌合して互いに面が離れないように固定した状態で、ロック装置７により、スライドできないようにロックしているので、ケース３に対してカバー５をスライドする仕様の制御基板収納ボックスに適用することができる。
【００３７】
ケース部３ａの収納孔１２にロックナット１１と、ロックプレート１３を９収納し、ケース部３ａに対してカバー部５ａをスライドした後、ケース部５ａにロックボルト９を押し込んで回すだけであるから、ロック装置７の組み付け及びロックが容易にできる。
【００３８】
爪部３１は下方に向けて傾斜していると共にロックボルト９の胴部２１の下面２１ａにも爪部３１と同方向に傾斜したテーパが形成されているので、ロックボルト９の胴部２１は容易に爪部３１を乗り越えることができる。
【００３９】
更に、ロックボルト９の胴部２１は起立部２９ａ、２９ｂの凹部３２を通過し、凹部３２を挟む位置に爪部３１を形成しているから、爪部３１の面積を小さくでき、ロックボルト９を押し込むときにロックボルト９の胴部２１が爪部３１を容易に乗り越えることができ、ロックボルト９の簡単な押し込みで係止溝２５に爪部３１を係止できる。
【００４０】
尚、本発明は、前述した実施形態に限定されることなく、その要旨を逸脱しない範囲で種々変形可能である。
例えば、制御基板収納ボックス１には、ロック装置７を構成可能なケース部３ａ及びカバー部５ａは、２箇所に限らず、３箇所や４箇所設けても良く、その数は制限されない。
ロックプレート１３には、互いに対向する２つの起立部２９ａ、２９ｂを形成したが、起立部２９ａ、２９ｂは、４つ設けてロックナット１１の周囲を覆うようにしても良い。
ロックナット１１の形状は、平面視四角形状に限らず、６角形等であっても良く、その形状は限定されない。
【符号の説明】
【００４１】
１    制御基板収納ボックス
３ａ  ケース部
５ａ  カバー部
７    ロック装置
９    ロックボルト
１１  ロックナット
１２  収納孔
１３  ロックプレート
１５  軸部
１６  フランジ受け部
１７  頭部
１９  フランジ部
２１  胴部
２３  捻り切断部
２５  係止溝
２９ａ、２９ｂ  起立部
３１  爪部
３３  ロックナット規制部
４２  嵌合部
４６  被嵌合部
【図１】
2013202244.tif 000003
【図２】
2013202244.tif 000004
【図３】
2013202244.tif 000005
【図４】
2013202244.tif 000006
【図５】
2013202244.tif 000007
【図６】
2013202244.tif 000008